(57)【特許請求の範囲】
【請求項１】
記憶部を備え、複数の通信回線網と接続可能なサーバの制御方法であって、
携帯端末が緊急通報の発信を行った場合、前記緊急通報の発信を行った携帯端末の端末識別情報と、前記緊急通報が終了したか否かを示す状態情報とを関連付けて前記記憶部に記憶し、
前記緊急通報の発信を行った携帯端末に対する測位要求信号を受信した場合に、前記状態情報に基づいて前記緊急通報が終了したか否かを判定し、
前記緊急通報が終了していないと判定された場合、前記測位要求信号の送信先を前記緊急通報の発信が行われた通信回線網に決定し、
前記緊急通報が終了したと判定された場合、前記緊急通報の発信を行った携帯端末が第１通信回線網より優先的に使用される第２通信回線網に在圏しているか否かを問い合わせる問い合わせ信号を前記第２通信回線網に送信し、前記緊急通報の発信を行った携帯端末が前記第２通信回線網に在圏していることを示す応答信号を受信した場合、前記測位要求信号の送信先を前記第２通信回線網に決定し、前記応答信号を受信しなかった場合、前記測位要求信号の送信先を前記第１通信回線網に決定し、
前記測位要求信号を決定した通信回線網に送信する、
ことを含むことを特徴とする制御方法。
【請求項２】
各携帯端末に対する通信契約が、前記第１通信回線網及び前記第２通信回線網と接続可能な携帯端末及び前記第２通信回線網と接続できず且つ前記第１通信回線網と接続可能な携帯端末に対して結ばれる第１通信契約であるか、前記第１通信回線網及び前記第２通信回線網と接続可能な携帯端末に対してのみ結ばれる第２通信契約であるか、を示す契約情報を加入者情報データベースに記憶し、
前記問い合わせ信号の送信において、前記緊急通報が終了したと判定した場合に、前記加入者情報データベースから前記緊急通報の発信を行った携帯端末に対する契約情報を取得し、前記取得した契約情報に示される通信契約が前記第２通信契約である場合に限り前記問い合わせ信号を送信し、前記通信契約が前記第１通信契約である場合は前記測位要求信号の送信先を前記第１通信回線網に決定する、請求項１に記載の制御方法。
【請求項３】
前記第１通信回線網は、３Ｇ通信回線網であり、
前記第２通信回線網は、ＬＴＥ通信回線網であり、
前記緊急通報の発信を行った携帯端末に対する測位要求信号を受信した場合に、前記緊急通報の発信を行った携帯端末に対する前記状態情報が前記記憶部に記憶されていない場合、前記測位要求信号の送信先をＰＨＳ通信回線網に決定する、請求項１又は２に記載の制御方法。
【請求項４】
さらに、前記測位要求信号を受信した際に、前記緊急通報が終了してから所定時間が経過したか否かを判定し、前記所定時間が経過したと判定した場合は前記問い合わせ信号を送信せず、前記測位要求信号を何れの通信回線網にも送信しないように制御する、請求項１〜３の何れか一項に記載の制御方法。
【請求項５】
複数の通信回線網と接続可能なサーバであって、
携帯端末が緊急通報の発信を行った場合、前記緊急通報の発信を行った携帯端末の端末識別情報と、前記緊急通報が終了したか否かを示す状態情報とを関連付けて記憶する記憶部と、
前記緊急通報の発信を行った携帯端末に対する測位要求信号を受信した場合に、前記状態情報に基づいて前記緊急通報が終了したか否かを判定する判定部と、
前記緊急通報が終了していないと判定された場合、前記測位要求信号の送信先を前記緊急通報の発信が行われた通信回線網に決定し、前記緊急通報が終了したと判定された場合、前記緊急通報の発信を行った携帯端末が第１通信回線網より優先的に使用される第２通信回線網に在圏しているか否かを問い合わせる問い合わせ信号を前記第２通信回線網に送信し、前記緊急通報の発信を行った携帯端末が前記第２通信回線網に在圏していることを示す応答信号を受信した場合、前記測位要求信号の送信先を前記第２通信回線網に決定し、前記応答信号を受信しなかった場合、前記測位要求信号の送信先を前記第１通信回線網に決定する決定部と、
前記測位要求信号を決定した通信回線網に送信する測位制御部と、を備える、
ことを特徴とするサーバ。
【請求項６】
記憶部を備え、複数の通信回線網と接続可能なサーバの制御プログラムであって、前記サーバに、
携帯端末が緊急通報の発信を行った場合、前記緊急通報の発信を行った携帯端末の端末識別情報と、前記緊急通報が終了したか否かを示す状態情報とを関連付けて前記記憶部に記憶し、
前記緊急通報の発信を行った携帯端末に対する測位要求信号を受信した場合に、前記状態情報に基づいて前記緊急通報が終了したか否かを判定し、
前記緊急通報が終了していないと判定された場合、前記測位要求信号の送信先を前記緊急通報の発信が行われた通信回線網に決定し、
前記緊急通報が終了したと判定された場合、前記緊急通報の発信を行った携帯端末が第１通信回線網より優先的に使用される第２通信回線網に在圏しているか否かを問い合わせる問い合わせ信号を前記第２通信回線網に送信し、前記緊急通報の発信を行った携帯端末が前記第２通信回線網に在圏していることを示す応答信号を受信した場合、前記測位要求信号の送信先を前記第２通信回線網に決定し、前記応答信号を受信しなかった場合、前記測位要求信号の送信先を前記第１通信回線網に決定し、
前記測位要求信号を決定した通信回線網に送信する、
こと実行させることを特徴とする制御プログラム。
【発明の詳細な説明】
【技術分野】
【０００１】
本発明は、サーバ、その制御方法及びその制御プログラムに関する。
【背景技術】
【０００２】
利用者が携帯電話を用いて、警察、海上保安庁、消防等の緊急機関に緊急通報を行う場合、携帯電話は、発信時に、その携帯電話の位置情報を緊急機関に通知する。緊急通報の発信位置の特定は、緊急機関の迅速かつ確実な対応のために重要である。そこで、携帯電話の通信事業者は、緊急通報が継続中又は緊急通報の通話が終了後２０秒間に限り、緊急機関からの測位要求指示に対して携帯電話の測位結果を通知することが総務省により義務付けられている。
【０００３】
例えば、特許文献１には、サーバが、緊急機関に配置された緊急機関装置から、緊急通報の発信を行った携帯端末の位置情報の取得要求を受信すると、移動交換局から携帯端末の位置情報を取得し、緊急機関装置に送信することが記載されている。
【先行技術文献】
【特許文献】
【０００４】
【特許文献１】特開２０１５−１２３２９号公報
【発明の概要】
【発明が解決しようとする課題】
【０００５】
特許文献１に記載された移動交換局は、一つの通信回線網内に配置されている。しかしながら、現在、携帯端末は、３Ｇ通信回線網及びＬＴＥ（登録商標）通信回線網のうちの何れかの通信回線網を使用してデータ通信を行う可能性があるため、３Ｇ通信回線網及びＬＴＥ通信回線網の通信回線網にそれぞれ移動交換局が配置されている。この場合、携帯端末は、３Ｇ通信回線網及びＬＴＥ通信回線網の何れかに在圏している可能性がある。したがって、携帯端末の位置情報を緊急機関に送信するサーバは、携帯端末が在圏する可能性がある複数の通信回線網のうち、携帯端末の位置を測位するための通信回線網を適切に選択する必要がある。
【０００６】
本発明は、このような課題を解決すべくなされたものであり、複数の通信回線網のうち、携帯端末の位置を測位するために適切な通信回線網を選択することができるサーバ、その制御方法及びその制御プログラムを提供することを目的とする。
【課題を解決するための手段】
【０００７】
本発明に係る制御方法は、記憶部を備え、複数の通信回線網と接続可能なサーバの制御方法であって、携帯端末が緊急通報の発信を行った場合、緊急通報の発信を行った携帯端末の端末識別情報と、緊急通報が終了したか否かを示す状態情報とを関連付けて記憶部に記憶し、緊急通報の発信を行った携帯端末に対する測位要求信号を受信した場合に、状態情報に基づいて緊急通報が終了したか否かを判定し、緊急通報が終了していないと判定された場合、測位要求信号の送信先を緊急通報の発信が行われた通信回線網に決定し、緊急通報が終了したと判定された場合、緊急通報の発信を行った携帯端末が第１通信回線網より優先的に使用される第２通信回線網に在圏しているか否かを問い合わせる問い合わせ信号を第２通信回線網に送信し、緊急通報の発信を行った携帯端末が第２通信回線網に在圏していることを示す応答信号を受信した場合、測位要求信号の送信先を第２通信回線網に決定し、応答信号を受信しなかった場合、測位要求信号の送信先を第１通信回線網に決定し、測位要求信号を決定した通信回線網に送信する、ことを含む。
【０００８】
本発明に係る制御方法において、各携帯端末に対する通信契約が、第１通信回線網及び第２通信回線網と接続可能な携帯端末及び第２通信回線網と接続できず且つ第１通信回線網と接続可能な携帯端末に対して結ばれる第１通信契約であるか、第１通信回線網及び第２通信回線網と接続可能な携帯端末に対してのみ結ばれる第２通信契約であるかを示す契約情報を加入者情報データベースに記憶し、問い合わせ信号の送信において、緊急通報が終了したと判定した場合に、加入者情報データベースから緊急通報の発信を行った携帯端末に対する契約情報を取得し、取得した契約情報に示される通信契約が第２通信契約である場合に限り問い合わせ信号を送信し、通信契約が第１通信契約である場合は測位要求信号の送信先を第１通信回線網に決定することが好ましい。
【０００９】
本発明に係る制御方法において、第１通信回線網は、３Ｇ通信回線網であり、第２通信回線網は、ＬＴＥ通信回線網であり、緊急通報の発信を行った携帯端末に対する測位要求信号を受信した場合に、緊急通報の発信を行った携帯端末に対する状態情報が記憶部に記憶されていない場合、測位要求信号の送信先をＰＨＳ通信回線網に決定することが好ましい。
【００１０】
本発明に係る制御方法において、さらに、測位要求信号を受信した際に、緊急通報が終了してから所定時間が経過したか否かを判定し、所定時間が経過したと判定した場合は問い合わせ信号を送信せず、測位要求信号を何れの通信回線網にも送信しないように制御することが好ましい。
【００１１】
本発明に係るサーバは、複数の通信回線網と接続可能なサーバであって、携帯端末が緊急通報の発信を行った場合、緊急通報の発信を行った携帯端末の端末識別情報と、緊急通報が終了したか否かを示す状態情報とを関連付けて記憶する記憶部と、緊急通報の発信を行った携帯端末に対する測位要求信号を受信した場合に、状態情報に基づいて緊急通報が終了したか否かを判定する判定部と、緊急通報が終了していないと判定された場合、測位要求信号の送信先を緊急通報の発信が行われた通信回線網に決定し、緊急通報が終了したと判定された場合、緊急通報の発信を行った携帯端末が第１通信回線網より優先的に使用される第２通信回線網に在圏しているか否かを問い合わせる問い合わせ信号を第２通信回線網に送信し、緊急通報の発信を行った携帯端末が第２通信回線網に在圏していることを示す応答信号を受信した場合、測位要求信号の送信先を第２通信回線網に決定し、応答信号を受信しなかった場合、測位要求信号の送信先を第１通信回線網に決定する決定部と、測位要求信号を決定した通信回線網に送信する測位制御部と、を備える。
【００１２】
本発明に係る端末の制御プログラムは、記憶部を備え、複数の通信回線網と接続可能なサーバの制御プログラムであって、サーバに、携帯端末が緊急通報の発信を行った場合、緊急通報の発信を行った携帯端末の端末識別情報と、緊急通報が終了したか否かを示す状態情報とを関連付けて記憶部に記憶し、緊急通報の発信を行った携帯端末に対する測位要求信号を受信した場合に、状態情報に基づいて緊急通報が終了したか否かを判定し、緊急通報が終了していないと判定された場合、測位要求信号の送信先を緊急通報の発信が行われた通信回線網に決定し、緊急通報が終了したと判定された場合、緊急通報の発信を行った携帯端末が第１通信回線網より優先的に使用される第２通信回線網に在圏しているか否かを問い合わせる問い合わせ信号を第２通信回線網に送信し、緊急通報の発信を行った携帯端末が第２通信回線網に在圏していることを示す応答信号を受信した場合、測位要求信号の送信先を第２通信回線網に決定し、応答信号を受信しなかった場合、測位要求信号の送信先を第１通信回線網に決定し、測位要求信号を決定した通信回線網に送信することを実行させる。
【発明の効果】
【００１３】
本発明に係るサーバ、その制御方法、及びその制御プログラムによれば、複数の通信回線網のうち、携帯端末の位置を測位するために適切な通信回線網を選択することができる。
【図面の簡単な説明】
【００１４】
【図１】通信システム１の概略を説明するための模式図である。
【図２】通信システム１の概略構成の一例を示す図である。
【図３】（ａ）は、第１位置情報通知サーバ１０１の概略構成の一例を示す図であり、（ｂ）は、緊急通報管理テーブルのデータ構造の一例を示す図である。
【図４】加入者情報データベース１０２が記憶する契約情報管理テーブルの一例を示す図である。
【図５】第１位置情報通知サーバ１０１の緊急通報開始信号／緊急通報終了信号の受信処理のフローチャートの一例を示す図である。
【図６】通信システム１の他の動作シーケンスの一例を示す図である。
【図７】第１位置情報通知サーバ１０１の測位要求処理のフローチャートの一例を示す図である。
【図８】第１位置情報通知サーバ１０１の測位要求処理のフローチャートの一例を示す図である。
【図９】他の通信システム１の概略を説明するための模式図である。
【図１０】他の緊急通報管理テーブルのデータ構造の一例を示す図である。
【発明を実施するための形態】
【００１５】
以下、図面を参照しつつ、本発明の様々な実施形態について説明する。ただし、本発明の技術的な範囲はそれらの実施形態に限定されず、特許請求の範囲に記載された発明とその均等物に及ぶ点に留意されたい。
【００１６】
（第１実施形態）
第１実施形態では、携帯端末６０１は、第１通信回線網２００のみを使用して緊急通報を発信する例について説明する。第１通信回線網２００は、例えば、３Ｇ通信回線網である。
【００１７】
図１は、第１実施形態における通信システム１の概略を説明するための模式図である。通信システム１は、第１位置情報通知サーバ１０１と、第１通信回線網２００と、第２通信回線網３００と、電話端末５０１と、緊急機関装置５０２と、携帯端末６０１と、を有する。第２通信回線網３００は、例えば、ＬＴＥ通信回線網である。
【００１８】
図１（ａ）は、第１位置情報通知サーバ１０１が、緊急通報が継続中である場合に、緊急機関装置５０２から測位要求信号を受信した場合の概略を説明するための模式図である。測位要求信号は、緊急通報の発信が行われた電話番号に対応する携帯端末の位置情報の取得を要求する信号である。
【００１９】
携帯端末６０１は、第１通信回線網２００を使用して、緊急通報を緊急機関に配置された電話端末５０１に発信する（１）。緊急機関は、例えば、消防、警察、海上保安庁等である。
【００２０】
緊急通報の発信が行われた緊急機関に配置された緊急機関装置５０２の管理者の操作に従って、緊急機関装置５０２は、緊急通報の発信を行った携帯端末６０１を測位対象として測位要求信号を第１位置情報通知サーバ１０１に送信する（２）。
【００２１】
第１位置情報通知サーバ１０１は、第１通信回線網２００を使用した緊急通報が継続中である場合、携帯端末６０１が第１通信回線網２００に在圏していると判定し、第１通信回線網２００に測位要求信号を送信する（３）。なお、測位要求信号を受信した携帯端末６０１は、受信した測位要求信号の測位を実行し、測位応答信号を第１通信回線網２００を介して位置情報通知サーバ１０１に送信する。位置情報通知サーバ１０１は、測位応答信号を第１通信回線網２００から受信すると、その測位応答信号を緊急機関装置５０２に送信する。測位応答信号は、測位要求信号で指定された携帯端末の位置情報を示す信号である。
【００２２】
図１（ｂ）は、第１位置情報通知サーバ１０１が、緊急通報の通話が終了後である場合に、緊急機関装置５０２から測位要求信号を受信した場合の概略を説明するための模式図である。
【００２３】
第１通信回線網２００を使用した緊急通報の発信後、携帯端末６０１の利用者の操作又は緊急機関に配置された電話端末の管理者の操作に従って、第１通信回線網２００を使用した緊急通報の通話が終了される（４）。
【００２４】
その後、緊急機関装置５０２の管理者の操作に従って、緊急機関装置５０２は、測位要求信号を第１位置情報通知サーバ１０１に送信する（５）。携帯端末６０１を保持する利用者が移動していると、携帯端末６０１が緊急通報の発信が行われた第１通信回線網２００に在圏している保証がない。そこで、第１位置情報通知サーバ１０１は、携帯端末６０１が第１通信回線網２００よりも優先的に接続される第２通信回線網３００に対して、携帯端末６０１が第２通信回線網３００に在圏しているか否かを問い合わせる問い合わせ信号を送信する（６）。
【００２５】
次に、第１位置情報通知サーバ１０１は、携帯端末６０１が第２通信回線網３００に在圏していることを示す応答信号、又は、携帯端末６０１が第２通信回線網３００に在圏していないことを示す不在信号を第２通信回線網３００から受信する（７）。第１位置情報通知サーバ１０１は、応答信号を第２通信回線網３００から受信した場合、第２通信回線網３００に測位要求信号を送信する（８−I）。
【００２６】
一方、第１位置情報通知サーバ１０１は、応答信号を第２通信回線網３００から受信せず、不在信号を第２通信回線網３００から受信した場合、第１通信回線網２００に測位要求信号を送信する（８−II）。
【００２７】
このように、緊急通報が継続中の場合、第１位置情報通知サーバ１０１は、測位要求信号の送信先を緊急通報の通話に使用されている通信回線網に決定する。一方、緊急通報の終了後の場合、第１位置情報通知サーバ１０１は、携帯端末６０１が第１通信回線網２００よりも優先的に接続される第２通信回線網３００に問い合わせ信号を送信し、第２通信回線網３００から受信した応答信号又は不在信号に応じて、測位要求信号の送信先を決定する。これにより、第１位置情報通知サーバ１０１は、複数の通信回線網のうち、携帯端末６０１の位置を測位するために適切な通信回線網を選択することができる。
【００２８】
図２は、通信システム１の概略構成の一例を示す図である。
【００２９】
通信システム１は、携帯端末４０５ａ，４０５ｂ，６０１ａ，６０１ｂを有する。さらに、通信システム１は、非音声ネットワーク１００と、第１通信回線網２００と、第２通信回線網３００と、第３通信回線網４００と、緊急機関システム５００と、公衆交換電話網７００と、第１専用線８００と、通信ネットワーク９００と、第２専用線１０００を有する。携帯端末６０１ａ，６０１ｂは、同様の構成を有するため、以下において、携帯端末６０１ａ，６０１ｂをまとめて携帯端末６０１と称する場合がある。また、携帯端末４０５ａ，４０５ｂは、同様の構成を有するため、以下において、携帯端末４０５ａ，４０５ｂをまとめて携帯端末４０５と称する場合がある。
【００３０】
非音声ネットワーク１００は、例えば、非音声パケット通信ネットワークであり、第１位置情報通知サーバ１０１と、加入者情報データベース１０２とを有する。第１位置情報通知サーバ１０１は、イーサネット（登録商標）等の有線ＬＡＮにより、第１専用線８００に接続され、通信ネットワーク９００と、さらに第２専用線１０００に接続される。加入者情報データベース１０２は、第１位置情報通知サーバ１０１と接続される。
【００３１】
加入者情報データベース１０２は、例えば、ＣＵＲ（Common User Repositery）である。加入者情報データベース１０２は、第１通信回線網２００及び第２通信回線網３００の全ての加入者に関する加入者情報及び契約情報を加入者ごとに関連付けて記憶する。加入者情報には、当該加入者が利用する携帯端末の電話番号、及び、当該加入者を識別する加入者識別番号等が含まれる。契約情報には、当該携帯端末に対して結ばれた通信契約の名称、及び、その通信契約を識別するための情報等が含まれる。
【００３２】
また、加入者情報データベース１０２は、特定の携帯端末に対して結ばれた通信契約に関する契約情報の取得を要求する契約情報要求信号を第１位置情報通知サーバ１０１から受信すると、要求された契約情報を位置情報通知サーバ１０１に送信する。契約情報要求信号には、契約情報の取得対象である携帯端末の電話番号が含まれ、加入者情報データベース１０２は、契約情報要求信号に含まれる電話番号に対応する契約情報を検索し、第１位置情報通知サーバ１０１に送信する。
【００３３】
第１通信回線網２００は、第１ゲートウェイ２０１、サービングゲートウェイ２０２、第１移動交換局２０３、及び第１基地局２０４ａ，２０４ｂを有する。
【００３４】
第１ゲートウェイ２０１は、第１通信回線網２００内の各装置と、通信ネットワーク９００とを接続し、通信を中継するゲートウェイ装置である。
【００３５】
サービングゲートウェイ２０２は、第１通信回線網２００内の各装置と、公衆交換電話網７００とを接続し、通信を中継するゲートウェイ装置である。
【００３６】
第１移動交換局２０３は、在圏する携帯端末の通話路、データ通信路の設定、解放、交換、移動管理等を行う交換局である。なお、説明を容易にするために、図２には第１移動交換局２０３を一つだけ示すが、第１通信回線網２００には複数の第１移動交換局２０３が含まれる。
【００３７】
また、第１移動交換局２０３は、測位対象の携帯端末に対する測位要求信号を第１位置情報通知サーバ１０１から受信し、受信した測位要求信号を配下にある全ての第１基地局２０４ａ，２０４ｂに送信する。第１移動交換局２０３は、測位対象の携帯端末が接続された第１基地局から、測位応答信号を受信すると、受信した測位応答信号を第１位置情報通知サーバ１０１に送信する。
【００３８】
第１基地局２０４ａ，２０４ｂは、無線エリア内に位置する各携帯端末との間で無線信号を送受信し、各携帯端末と第１移動交換局２０３との間の通信を中継する装置である。第１基地局２０４ａ，２０４ｂは、第１移動交換局２０３から測位要求信号を受信すると、無線信号により、全ての携帯端末が受信可能なチャネルで測位要求信号を送信する。第１基地局２０４ａ，２０４ｂは、測位応答信号を測位対象の携帯端末から受信すると、受信した測位応答信号を第１移動交換局２０３に送信する。
【００３９】
第２通信回線網３００は、在圏情報管理装置３０１、第２移動交換局３０２、第２ゲートウェイ３０３、及び第２基地局３０４ａ，３０４ｂを有する。
【００４０】
在圏情報管理装置３０１は、例えば、ＨＳＳ（Home Subscriber Server）である。在圏情報管理装置３０１は、第１通信回線網２００及び第２通信回線網３００の各加入者の携帯端末が第２通信回線網３００に在圏しているか否かを示す情報を加入者ごとに関連付けて記憶する。在圏情報管理装置３０１は、測位対象の携帯端末が第２通信回線網３００に在圏しているか否かを問い合わせる問い合わせ信号を第１位置情報通知サーバ１０１から受信すると、応答信号又は不在信号を第１位置情報通知サーバ１０１に送信する。
【００４１】
第２移動交換局３０２は、在圏する携帯端末に対して第１移動交換局２０３と同様の処理を実行する。
【００４２】
第２ゲートウェイ３０３は、第２通信回線網３００内の各装置と、通信ネットワーク９００とを接続し、通信を中継するゲートウェイ装置である。
【００４３】
第２基地局３０４ａ，３０４ｂは、第２通信回線網３００に配置された基地局であり、第１基地局２０４ａ，２０４ｂと同様の処理を実行する。
【００４４】
携帯端末６０１は、無線通信機能を有する装置であり、例えば、携帯電話、携帯情報端末（PDA: Personal Digital Assistant）等である。携帯端末６０１は、第１通信回線網２００又は第２通信回線網３００に在圏する。携帯端末６０１は、第１通信回線網２００に在圏する場合、第１移動交換局２０３と信号の送受信を行う。また、携帯端末６０１は、第２通信回線網３００に在圏する場合、第２移動交換局３０２と信号の送受信を行う。
【００４５】
また、携帯端末６０１は、第１通信回線網２００又は第２通信回線網３００を介して位置情報通知サーバ１０１から測位要求信号を受信すると、自装置の位置を測位する。携帯端末６０１は、例えば、ＧＰＳ（Global Positioning System）等の周知の技術を利用して自装置の位置を測定する。その場合、携帯端末６０１は、不図示のＡＧＰＳ管理装置からＧＰＳ測位を行うためのアシストデータを取得し、取得したアシストデータを利用して、自装置の位置を測定してもよい。
【００４６】
また、携帯端末６０１は、三台以上の基地局からそれぞれ受信した無線信号の電波強度に基づいて自装置の位置を測定してもよい。携帯端末６０１は、自装置の位置情報を示すセル測位応答信号を、測位要求信号を送信した通信回線網を介して位置情報通知サーバ１０１に送信する。
【００４７】
第３通信回線網４００は、例えば、ＰＨＳ通信回線網であり、第２位置情報通知サーバ４０１、第３移動交換局４０２、第３ゲートウェイ４０３、及び第３基地局４０４ａ，４０４ｂを有する。
【００４８】
第２位置情報通知サーバ４０１は、第１位置情報通知サーバ１０１と同様のサーバである。但し、第２位置情報通知サーバ４０１は、イーサネット等の有線ＬＡＮにより、第２専用線１０００に接続される。また、第２位置情報通知サーバ４０１は、第３通信回線網４００に配置され、第１位置情報通知サーバ１０１から測位要求信号を受信すると、その測位要求信号を第３通信回線網４００を介して携帯端末４０５に送信する。そして、第２位置情報通知サーバ４０１は、応答信号を第３通信回線網４００を介して携帯端末４０５から受信すると、その測位応答信号を第１位置情報通知サーバ１０１に送信する。
【００４９】
第３移動交換局４０２は、在圏する携帯端末に対して第１移動交換局２０３と同様の処理を実行する交換局である。第３移動交換局４０２は、第２位置情報通知サーバ４０１から測位要求信号を受信すると、受信した測位要求信号を配下にある全ての第３基地局４０４ａ，４０４ｂに送信する。第３移動交換局４０２は、測位対象の携帯端末が接続された第３基地局から測位応答信号を受信すると、受信した測位応答信号を第２位置情報通知サーバ４０１に送信する。
【００５０】
第３ゲートウェイ４０３は、第３通信回線網４００内の各装置と、通信ネットワーク９００とを接続し、通信を中継するゲートウェイ装置である。
【００５１】
第３基地局４０４ａ，４０４ｂは、第３通信回線網４００に配置された基地局であり、第１基地局２０４ａ，２０４ｂと同様の処理を実行する。
【００５２】
携帯端末４０５は、第１通信回線網２００及び第２通信回線網３００を使用して通信することができず、第３通信回線網４００のみ使用して通信することができる無線通信機能を有する装置であり、例えば、ＰＨＳ端末である。携帯端末４０５は、携帯端末６０１と同様の処理を実行する。
【００５３】
緊急機関システム５００は、電話端末５０１と、緊急機関装置５０２とを有する。電話端末５０１は、公衆交換電話網７００を介してサービングゲートウェイ２０２、第２移動交換局３０２及び第３移動交換局４０２と接続される。緊急機関装置５０２は、第１専用線８００を介して第１位置情報通知サーバ１０１と接続される。
【００５４】
電話端末５０１は、各携帯端末４０５，６０１からの緊急通報を着信する電話端末である。
【００５５】
緊急機関装置５０２は、電話端末５０１を用いて携帯端末４０５，６０１からの緊急通報を受け付けた管理者によって操作される通信装置である。緊急機関装置５０２は、管理者による操作に従って、測位要求信号を第１位置情報通知サーバ１０１に送信し、位置情報通知サーバ１０１から受信した測位応答信号に示される測位対象の携帯端末の位置を管理者に通知する。
【００５６】
公衆交換電話網７００は、一般の加入電話回線ネットワーク（PSTN: Public Switched Telephone Networks）である。第１専用線８００及び第２専用線１０００は、例えば、ＩＰ−ＶＰＮ（Internet Protocol Virtual Private Network）を用いた通信ネットワークである。通信ネットワーク９００は、例えばインターネット、イントラネット又は専用線等である。
【００５７】
図３（ａ）は、第１位置情報通知サーバ１０１の概略構成の一例を示す図である。
【００５８】
第１位置情報通知サーバ１０１は、例えば、ＥＲＳ（Emergency Register Server）である。第１位置情報通知サーバ１０１は、サーバ通信部１１と、サーバ記憶部１２と、サーバ制御部１３とを備える。
【００５９】
サーバ通信部１１は、第１位置情報通知サーバ１０１を、非音声ネットワーク１００に接続するための通信インターフェース回路を備え、非音声ネットワーク１００内の加入者情報データベース１０２と通信する。また、サーバ通信部１１は、第１位置情報通知サーバ１０１を、第１専用線８００に接続するための通信インターフェース回路を備え、第１専用線８００を介して緊急機関装置５０２と通信する。また、サーバ通信部１１は、第１位置情報通知サーバ１０１を、通信ネットワーク９００に接続するための通信インターフェース回路を備える。
【００６０】
サーバ通信部１１は、通信ネットワーク９００及び第１ゲートウェイ２０１を介して、サービングゲートウェイ２０２及び第１移動交換局２０３等と通信する。また、サーバ通信部１１は、通信ネットワーク９００及び第２ゲートウェイ３０３を介して、在圏情報管理装置３０１、及び第２移動交換局３０２等と通信する。また、サーバ通信部１１は、通信ネットワーク９００及び第３ゲートウェイ４０３を介して第２位置情報通知サーバ４０１等と通信する。
【００６１】
サーバ通信部１１は、サービングゲートウェイ２０２、第１移動交換局２０３、在圏情報管理装置３０１、第２移動交換局３０２、第２位置情報通知サーバ４０１及び緊急機関装置５０２等から受信したデータをサーバ制御部１３に供給する。また、サーバ通信部１１は、サーバ制御部１３から供給されたデータを第１移動交換局２０３、在圏情報管理装置３０１、第２移動交換局３０２、第２位置情報通知サーバ４０１及び緊急機関装置５０２等に送信する。
【００６２】
サーバ記憶部１２は、例えば、磁気テープ装置、磁気ディスク装置、又は光ディスク装置のうちの少なくともいずれか一つを備える。サーバ記憶部１２は、サーバ制御部１３での処理に用いられるオペレーティングシステムプログラム、ドライバプログラム、アプリケーションプログラム、データ等を記憶する。各プログラムは、例えばＣＤ−ＲＯＭ、ＤＶＤ−ＲＯＭ等のコンピュータ読み取り可能な可搬型記録媒体から、公知のセットアッププログラム等を用いてサーバ記憶部１２にインストールされてもよい。
【００６３】
また、サーバ記憶部１２は、データとして、緊急通報管理テーブル（図３（ｂ））等を記憶する。さらに、サーバ記憶部１２は、所定の処理に係る一時的なデータを一時的に記憶してもよい。
【００６４】
図３（ｂ）は、緊急通報管理テーブルのデータ構造の一例を示す図である。
【００６５】
緊急通報管理テーブルは、第１通信回線網２００を使用した緊急通報毎に、発信元電話番号、発信先電話番号、緊急通報開始日時、緊急通報終了日時等を関連付けて記憶する。
【００６６】
発信元電話番号は、端末識別情報の一例であり、緊急通報の発信元の携帯端末の電話番号である。発信先電話番号は、緊急通報の発信先の携帯端末の電話番号である。発信先電話番号は、発信先が消防の場合は、１１９であり、警察の場合は、１１０であり、海上保安庁の場合は、１１８である。緊急通報開始日時及び緊急通報終了日時は、緊急通報に関する状態情報の一例である。緊急通報開始日時は、緊急通報の緊急通報の通話が開始した日時を表し、緊急通報終了日時は、緊急通報の緊急通報を終了した日時を表す。緊急通報管理テーブルに記憶された各緊急通報について、緊急通報終了日時が記憶されていない場合は、緊急通報の通話が終了していないことを示し、緊急通報終了日時が記憶されている場合は、緊急通報の通話が終了したことを示す。
【００６７】
サーバ制御部１３は、一又は複数個のプロセッサ及びその周辺回路を備える。サーバ制御部１３は、第１位置情報通知サーバ１０１の全体的な動作を統括的に制御するものであり、例えば、ＣＰＵである。サーバ制御部１３は、第１位置情報通知サーバ１０１の各種処理がサーバ記憶部１２に記憶されているプログラム等に応じて適切な手順で実行されるように、サーバ通信部１１等の動作を制御する。サーバ制御部１３は、サーバ記憶部１２に記憶されているプログラム（オペレーティングシステムプログラム、ドライバプログラム、アプリケーションプログラム等）に基づいて処理を実行する。また、サーバ制御部１３は、複数のプログラム（アプリケーションプログラム等）を並列に実行することができる。
【００６８】
サーバ制御部１３は、判定部１３１、決定部１３２及び測位制御部１３３を有する。サーバ制御部１３が有するこれらの各部は、サーバ制御部１３が有するプロセッサ上で実行されるプログラムによって実装される機能モジュールである。あるいは、サーバ制御部１３が有するこれらの各部は、独立した集積回路、マイクロプロセッサ、又はファームウェアとしてサーバ制御部１３に実装されてもよい。
【００６９】
なお、第２位置情報通知サーバ４０１は、第１位置情報通知サーバ１０１と同様の緊急通報管理テーブルを記憶する。但し、第２位置情報通知サーバ４０１が記憶する緊急通報管理テーブルは、第３通信回線網を使用した緊急通報に関する情報を記憶する。このように、第１位置情報通知サーバ１０１の緊急通報管理テーブルは、第１通信回線網を使用した緊急通報に関する情報を記憶し、第２位置情報通知サーバ４０１の緊急通報管理テーブルは、第３通信回線網を使用した緊急通報に関する情報を記憶する。これにより、第１位置情報通知サーバ１０１は、緊急通報管理テーブルの記憶容量を第２位置情報通知サーバ４０１に分散させることができる。
【００７０】
図４は、加入者情報データベース１０２が記憶する契約管理テーブルのデータ構造の一例を示す図である。
【００７１】
契約管理テーブルは、加入者識別情報（加入者ＩＤ）、電話番号及び契約情報等を関連付けて記憶する。加入者ＩＤは、加入者を識別するための情報である。電話番号は、加入者が通信契約を結んだ携帯端末の電話番号である。通信契約は、利用者が利用する携帯端末のデータ通信及び音声通信を行うために通信キャリアと結ぶ契約であり、例えば、３Ｇ／４Ｇ契約、ＶｏＬＴＥ（Voice over LTE）契約等である。契約情報は、その携帯端末に対して結ばれた通信契約についての契約情報である。
【００７２】
３Ｇ／４Ｇ契約は、第１通信契約の一例であり、携帯端末６０１が第１通信回線網及び第２通信回線網の何れでもデータ通信を行うことができ、且つ第１通信回線網で音声通信を行うことができるが、第２通信回線網では音声通信を行うことができない契約である。３Ｇ／４Ｇ契約は、第１通信回線網及び第２通信回線網と接続可能な携帯端末、及び、第２通信回線網と接続できず且つ第１通信回線網と接続可能な携帯端末に対して結ばれる。ＶｏＬＴＥ契約は、第２通信契約の一例であり、携帯端末６０１が第１通信回線網及び第２通信回線網の何れでもデータ通信及び音声通信を行うことができる契約である。ＶｏＬＴＥ契約は、第１通信回線網及び第２通信回線網と接続可能な携帯端末に対してのみ結ばれる。
【００７３】
図５は、第１位置情報通知サーバ１０１の緊急通報開始信号／緊急通報終了信号の受信処理のフローチャートの一例を示す図である。
【００７４】
なお、以下に説明するフローチャートは、予めサーバ記憶部１２に記憶されているプログラムに基づいて、主にサーバ制御部１３により、第１位置情報通知サーバ１０１の各要素と協働して実行される。
【００７５】
まず、第１位置情報通知サーバ１０１の判定部１３１は、緊急通報が開始されたことを示す緊急通報開始信号をサービングゲートウェイ２０２から受信したか否か判定する（ステップＳ１００）。緊急通報開始信号には、発信元電話番号及び発信先電話番号が含まれる。
【００７６】
緊急通報開始信号を受信した場合（ステップ１００−Ｙｅｓ）、判定部１３１は、受信した緊急通報開始信号に含まれる、発信元電話番号及び発信先電話番号を緊急通報管理テーブルに記憶するとともに、緊急通報開始信号を受信したときの日時を緊急通報開始日時として緊急通報管理テーブルに記憶する（ステップＳ１０１）。
【００７７】
一方、緊急通報開始信号を受信しなかった場合（ステップ１００−Ｎｏ）、判定部１３１は、緊急通報が終了されたことを示す緊急通報終了信号をサービングゲートウェイ２０２から受信したか否か判定する（ステップＳ１０２）。緊急通報終了信号には、発信元電話番号及び発信先電話番号が含まれる。
【００７８】
緊急通報終了信号を受信した場合（ステップＳ１０２−Ｙｅｓ）、判定部１３１は、受信した緊急通報開始信号に含まれる、発信元電話番号及び発信先電話番号に関連付けて、緊急通報終了信号を受信した日時を緊急通報終了日時として緊急通報管理テーブルに記憶する（ステップＳ１０３）。
【００７９】
一方、緊急通報終了信号を受信しなかった場合（ステップ１０２−Ｎｏ）、判定部１３１は、再度ステップＳ１００〜Ｓ１０３の処理を繰り返す。
【００８０】
これにより、第１位置情報通知サーバ１０１は、緊急通報終了日時等の緊急通報の通話が終了したか否かを示す状態情報を適切に管理することができる。
【００８１】
図６は、通信システム１の測位要求を処理する動作シーケンスの一例を示す図である。
【００８２】
なお、以下に説明する動作シーケンスは、各装置において予め各装置の記憶部に記憶されているプログラムに基づき主に各装置の制御部により各装置の各要素と協働して実行される。
【００８３】
まず、緊急機関装置５０２は、緊急通報の発信を行った携帯端末に対する測位要求信号を第１位置情報通知サーバ１０１に送信する（ステップＳ２００）。測位要求信号には、緊急通報の発信元の電話番号として緊急通報の発信を行った携帯端末の電話番号が含まれ、緊急通報の発信先の電話番号として緊急機関の電話番号が含まれる。
【００８４】
第１位置情報通知サーバ１０１の決定部１３２は、測位要求信号をサーバ通信部１１を介して緊急機関装置５０２から受信すると、測位要求処理を実行する（ステップＳ２０１）。第１位置情報通知サーバ１０１は、測位要求処理において、測位要求信号の送信先を決定し、決定した送信先に測位要求信号を送信し、測位応答信号を送信先から取得する。測位要求処理の詳細は後述する。
【００８５】
測位制御部１３３は、測位要求処理において取得した測位応答信号を緊急機関装置５０２に送信する（ステップＳ２０２）。
【００８６】
これにより、第１位置情報通知サーバ１０１は、緊急通報の発信を行った携帯端末４０５，６０１に対する測位結果を問い合わせ元である緊急機関装置５０２に提供することができる。
【００８７】
図７及び図８は、第１位置情報通知サーバ１０１による測位要求処理のフローチャートの一例を示す図である。図７及び図８に示すフローチャートは、図６のステップＳ２０１において実行される。
【００８８】
なお、以下に説明するフローチャートは、予めサーバ記憶部１２に記憶されているプログラムに基づいて、主にサーバ制御部１３により、第１位置情報通知サーバ１０１の各要素と協働して実行される。
【００８９】
まず、判定部１３１は、測位要求信号に含まれる発信元電話番号及び発信先電話番号に関連付けられた状態情報が緊急通報管理テーブルに記憶されているか否かにより、緊急通報の発信を行った携帯端末に対する状態情報が緊急通報管理テーブルに記憶されているか否かを判定する（ステップＳ３００）。
【００９０】
判定部１３１は、記憶緊急通報管理テーブルにおいて、測位要求信号に含まれる発信元電話番号及び発信先電話番号に関連付けられて、緊急通報開始日時が記憶されている場合、緊急通報の発信を行った携帯端末に対する状態情報が緊急通報管理テーブルに記憶されていると判定する。
【００９１】
一方、緊急通報開始日時が記憶されていない場合、緊急通報の発信を行った携帯端末に対する状態情報が緊急通報管理テーブルに記憶されていないと判定する。
【００９２】
緊急通報の発信を行った携帯端末に対する状態情報が緊急通報管理テーブルに記憶されていない場合（ステップＳ３００−Ｎｏ）、測位制御部１３３は、緊急通報の発信を行った携帯端末の緊急通報に関する情報は第３通信回線網４００内に記憶されていると判定し、測位要求信号を第３通信回線網４００内の第２位置情報通知サーバ４０１に送信する（ステップＳ３０１）。
【００９３】
この場合、第２位置情報通知サーバ４０１は、第１位置情報通知サーバ１０１から測位要求信号を受信すると、その測位要求信号を第３通信回線網４００を介して携帯端末４０５に送信する。これにより、携帯端末の位置の測位を要求するサーバの処理負荷を分散することが可能になる。
【００９４】
次に、測位制御部１３３は、第２位置情報通知サーバ４０１からの測位応答信号の受信処理を実行する（ステップＳ３０２）。測位制御部１３３は、第２位置情報通知サーバ４０１から測位応答信号を受信するまで待機し、測位応答信号を受信すると、受信した測位応答信号を緊急機関装置５０２に送信し、測位要求処理を終了する。
【００９５】
一方、緊急通報の発信を行った携帯端末に対する状態情報が緊急通報管理テーブルに記憶されている場合（ステップＳ３００−Ｙｅｓ）、判定部１３１は、緊急通報を終了してから所定時間（例えば、２０秒）以上経過したか否かを判定する（ステップＳ３０３）。判定部１３１は、緊急通報管理テーブルを参照して、緊急通報終了日時から所定時間以上経過したか否かを判定する。
【００９６】
判定部１３１は、緊急通報を終了してから所定時間以上経過した場合（ステップＳ３０３−Ｙｅｓ）、測位要求処理を終了する。この場合、判定部１３１は、問い合わせ信号の送信処理及び何れかの通信回線網に対する測位要求信号の送信処理を実行しないように制御する。これにより、第１位置情報通知サーバ１０１は、不要な処理を実行せず、第１位置情報通知サーバ１０１のリソースを有効活用することができる。また、直前に緊急通報を行っていない携帯端末の位置が取得され、利用者のプライバシーが侵害されることを防止することができる。
【００９７】
一方、緊急通報を終了してから所定時間以上経過していない場合（ステップＳ３０３−Ｎｏ）、判定部１３１は、緊急通報の通話が終了したか否かを判定する（ステップＳ３０４）。判定部１３１は、測位要求信号に含まれる発信元電話番号及び発信先電話番号に関連付けられ、且つ現在時刻から所定時間の範囲内の時刻である緊急終了日時が緊急通報管理テーブルに記憶されているか否かにより、緊急通報の通話が終了したか否かを判定する。
【００９８】
緊急通報の通話が終了していないと判定した場合（ステップＳ３０４−Ｎｏ）、決定部１３２は、測位要求信号の送信先を緊急通報の通話に使用されている通信回線網に決定する（ステップＳ３０５）。第１実施形態では、携帯端末６０１は、必ず第１通信回線網２００を使用して緊急通報を発信するため、決定部１３２は、緊急通報の発信が行われた第１通信回線網２００を測位要求信号の送信先に決定する。これにより、携帯端末６０１は緊急通報が継続中である場合、緊急通報に使用されている通信回線網に確実に在圏しているので、決定部１３２は、測位要求信号を送信すべき通信回線網を適切に選択することができる。
【００９９】
次に、測位制御部１３３は、決定した通信回線網に測位要求信号を送信する（ステップＳ３０６）。
【０１００】
測位要求信号の送信先が第１通信回線網２００に決定された場合、測位制御部１３３は、第１通信回線網２００を介して測位要求信号を測位対象の携帯端末に送信する。
【０１０１】
測位対象の携帯端末は、第１通信回線網２００から測位要求信号を受信すると、自装置の位置を測定し、第１通信回線網２００を介して測位応答信号を第１位置情報通知サーバ１０１に送信する。
【０１０２】
一方、測位要求信号の送信先が第２通信回線網３００に決定された場合、測位制御部１３３は、第２通信回線網３００を介して測位要求信号を測位対象の携帯端末に送信する。
【０１０３】
測位対象の携帯端末は、第２通信回線網３００から測位要求信号を受信すると、自装置の位置を測定し、第２通信回線網３００を介して測位応答信号を第１位置情報通知サーバ１０１に送信する。
【０１０４】
次に、測位制御部１３３は、測位要求信号を送信した通信回線網からの測位応答信号の受信処理を実行する（ステップＳ３０７）。測位制御部１３３は、第１移動交換局２０３を介して測位対象の携帯端末から測位応答信号を受信するまで待機する。測位制御部１３３は、測位要求信号を送信した通信回線網を介して測位対象の携帯端末から測位応答信号を受信するまで待機し、測位応答信号を受信すると、測位要求処理を終了する。
【０１０５】
一方、緊急通報の通話が終了したと判定した場合（ステップＳ３０４−Ｙｅｓ）、判定部１３１は、緊急通報の発信を行った携帯端末に対応する契約情報を加入者情報データベース１０２から取得する（ステップＳ３０８）。判定部１３１は、測位要求信号に含まれる発信元電話番号を含む契約情報取得要求信号を加入者情報データベース１０２に送信し、その電話番号に関連付けられた契約情報を加入者情報データベース１０２から取得する。
【０１０６】
次に、判定部１３１は、加入者情報データベース１０２から取得した契約情報がＶｏＬＴＥ契約であるか否かを判定する（ステップＳ３０９）。契約情報に示される通信契約が３Ｇ／４Ｇ契約であり、ＶｏＬＴＥ契約でないと判定した場合（ステップＳ３０９−Ｎｏ）、決定部１３２は、測位要求信号の送信先を第１通信回線網２００に決定する（ステップＳ３１０）。
【０１０７】
３Ｇ／４Ｇ契約は、第１通信回線網及び第２通信回線網と接続可能な携帯端末、及び、第２通信回線網と接続できず且つ第１通信回線網と接続可能な携帯端末に対して結ばれる。したがって、携帯端末が第２通信回線網３００と接続できない場合、第２通信回線網に送信された測位要求信号を受信できない。決定部１３２が、３Ｇ／４Ｇ契約が結ばれている携帯端末に対して、第２通信回線網を介して測位要求信号を送信すると、測位応答信号を受信できない場合がある。判定部１３１は、契約情報が３Ｇ／４Ｇ契約である場合、測位要求信号の送信先を第１通信回線網２００に決定することにより、確実に測位応答信号を受信することができる。
【０１０８】
次に、測位制御部１３３は、測位要求信号を第１通信回線網２００を介して測位対象の携帯端末に送信する（ステップＳ３１１）。
【０１０９】
次に、測位制御部１３３は、測位対象の携帯端末から測位応答信号の受信処理を実行し（ステップＳ３１２）、測位対象の携帯端末から測位応答信号を受信すると、測位要求処理を終了する。
【０１１０】
契約情報に示される通信契約がＶｏＬＴＥ契約であると判定した場合（ステップＳ３０９−Ｙｅｓ）、決定部１３２は、問い合わせ信号を第２通信回線網３００内の在圏情報管理装置３０１に送信する（ステップＳ４００）。
【０１１１】
携帯端末を保持する利用者は緊急通報の終了後に移動している可能性があり、その携帯端末が緊急通報の発信が行われた通信回線網に在圏している保証はない。一方、ＶｏＬＴＥ契約が結ばれた携帯端末は、第１通信回線網よりも第２通信回線網に優先的に接続する。したがって、決定部１３２は、第２通信回線網３００内の在圏情報管理装置３０１に問い合わせ信号を送信することにより、在圏情報管理装置３０１から応答信号を受信する確率を高くすることができる。
【０１１２】
また、利用者が測位対象の携帯端末を用いて、第２通信回線網３００を使用した通話をしている場合に、第１位置情報通知サーバ１０１が不図示の第１通信回線網２００内の在圏情報管理装置３０１に送信する場合がある。その場合、回線交換フォールバック（CSFB: Circuit Switched FallBack）が発生し、第２通信回線網３００を使用した測位対象の携帯端末の通話が切断されてしまう可能性がある。そこで、決定部１３２は、契約情報に示される通信契約がＶｏＬＴＥ契約であると判定した場合、問い合わせ信号を第２通信回線網３００内の在圏情報管理装置３０１に送信する。これにより、決定部１３２は、第２通信回線網３００を使用した測位対象の携帯端末の通話が回線交換フォールバックにより切断されることを防止することができる。
【０１１３】
次に、決定部１３２は、在圏情報管理装置３０１からの応答信号／不在信号の受信処理を実行する（ステップＳ４０１）。決定部１３２は、応答信号又は不在信号のうちの何れか一方を受信するまで待機し、応答信号又は不在信号のうちの何れか一方を受信すると、処理をステップＳ４０２に移行する。
【０１１４】
次に、決定部は、応答信号／不在信号の受信処理において、応答信号を受信したか否かを判定する（ステップＳ４０２）。応答信号を受信した場合（ステップＳ４０２−Ｙｅｓ）、決定部１３２は、測位要求信号の送信先を第２通信回線網３００に決定する（ステップＳ４０３）。
【０１１５】
次に、測位制御部１３３は、第２通信回線網３００を介して測位要求信号を測位対象の携帯端末に送信する（ステップＳ４０４）。
【０１１６】
次に、測位制御部１３３は、測位対象の携帯端末から測位応答信号の受信処理を実行し（ステップＳ４０５）、測位対象の携帯端末から測位応答信号を受信すると、測位要求処理を終了する。
【０１１７】
一方、不在信号を受信し、応答信号を受信しなかった場合（ステップＳ４０２−Ｎｏ）、決定部１３２は、測位要求信号の送信先を第１通信回線網２００に決定する（ステップＳ４０６）。
【０１１８】
次に、測位制御部１３３は、測位要求信号を第１通信回線網２００を介して測位対象の携帯端末に送信する（ステップＳ４０７）。
【０１１９】
次に、測位制御部１３３は、測位対象の携帯端末から測位応答信号の受信処理を実行し（ステップＳ４０８）、測位対象の携帯端末から測位応答信号を受信すると、測位要求処理を終了する。
【０１２０】
以上説明してきたように、緊急通報が継続中である場合、第１位置情報通知サーバ１０１は、測位要求信号の送信先を緊急通報の通話に使用されている通信回線網に決定する。一方、緊急通報の通話が終了後である場合、第１位置情報通知サーバ１０１は、測位要求信号の送信先を携帯端末が在圏している通信回線網に決定する。これにより、第１位置情報通知サーバ１０１は、複数の通信回線網のうち、携帯端末の位置を測位するために適切な通信回線網を選択することができる。
【０１２１】
（第２実施形態）
第２実施形態では、携帯端末６０１は、第１通信回線網２００を使用した緊急通報の発信だけでなく、第２通信回線網３００を使用しても緊急通報を発信する例について説明する。
【０１２２】
図９は、第２実施形態における通信システム１の概略を説明するための模式図である。
第２実施形態における通信システム１の構成は、第１実施形態における通信システム１の構成と同様である。
【０１２３】
図９（ａ）は、第１位置情報通知サーバ１０１が、緊急通報が継続中である場合に、緊急機関装置５０２から測位要求信号を受信した場合の概略を説明するための模式図である。
【０１２４】
携帯端末６０１が、第１通信回線網２００及び第２通信回線網３００の両方の無線エリアに位置する場合、第１通信回線網２００よりも優先的に第２通信回線網３００を使用して、緊急通報を緊急機関に配置された電話端末５０１に発信する（１−I）。また、携帯端末６０１が、第１通信回線網２００の無線エリアに位置せず、第２通信回線網３００に在圏している場合も同様に、第２通信回線網３００を使用して、緊急通報を緊急機関に配置された電話端末５０１に発信する。
【０１２５】
図９（ａ）の（１−II），（２），（３−II）の処理は、図１（ａ）の（１）〜（３）の処理と同様である。
【０１２６】
第１位置情報通知サーバ１０１は、第２通信回線網３００を使用した緊急通報が継続中である場合、携帯端末６０１が第２通信回線網３００に在圏していると判定し、第２通信回線網３００に測位要求信号を送信する（３−I）。
【０１２７】
図９（ｂ）は、第１位置情報通知サーバ１０１が、緊急通報の通話が終了後である場合に、緊急機関装置５０２から測位要求信号を受信した場合の概略を説明するための模式図である。
【０１２８】
第２通信回線網３００を使用した緊急通報の発信後、携帯端末６０１の利用者の操作又は緊急機関に配置された電話端末の管理者の操作に従って、第２通信回線網３００を使用した緊急通報の通話が終了される（４−III）。
【０１２９】
図９（ｂ）の（４−IV），（５）〜（７），（８−III），（８−IV）の処理は、図１（ｂ）の（４）〜（７），（８−I），（８−II）の処理と同様である。
【０１３０】
このように、緊急通報が継続中の場合、第１位置情報通知サーバ１０１は、複数の通信回線網のうち、測位要求信号の送信先を緊急通報の通話に使用されている通信回線網に決定する。これにより、第１位置情報通知サーバ１０１は、複数の通信回線網のうち、携帯端末６０１の位置を測位するために適切な通信回線網を選択することができる。
【０１３１】
第２実施形態の第１位置情報通知サーバ１０１の構成は、第１実施形態の第１位置情報通知サーバ１０１の構成と同様である。但し、第１位置情報通知サーバ１０１は、データとして、図３（ｂ）に示した緊急通報管理テーブルの代わりに、図１０に示す緊急通報管理テーブルをサーバ記憶部１２に記憶する。
【０１３２】
図１０は、第２実施形態の緊急通報管理テーブルのデータ構造の一例を示す図である。
【０１３３】
緊急通報管理テーブルは、第１通信回線網２００又は第２通信回線網３００を使用した緊急通報毎に、発信元電話番号、発信先電話番号、通信回線網識別情報（通信回線網ＩＤ）、緊急通報開始日時、緊急通報終了日時等を関連付けて記憶する。通信回線網識別情報は、緊急通報に使用された通信回線網の名称及び通信回線網を識別するための情報を含む。
【０１３４】
第２実施形態において、通信システム１は、第１実施形態と同様に、図５，７，８に示したフローチャート、及び、図６に示した動作シーケンスに従って測位対象の携帯端末に対する測位処理を実行する。
【０１３５】
但し、図５のステップＳ１００の処理において、第１位置情報通知サーバ１０１の判定部１３１は、緊急通報が開始されたことを示す緊急通報開始信号をサービングゲートウェイ２０２又は第２移動交換局３０２から受信したか否か判定する。緊急通報開始信号には、発信元電話番号、発信先電話番号及び緊急通報に使用された通信回線網を示す通信回線識別情報が含まれる。
【０１３６】
また、図５のステップＳ１０１の処理において、判定部１３１は、受信した緊急通報開始信号に含まれる、発信元電話番号、発信先電話番号及び通信回線識別情報を緊急通報管理テーブルに記憶するとともに、緊急通報開始信号を受信したときの日時を緊急通報開始日時として緊急通報管理テーブルに記憶する。
【０１３７】
また、図５のステップＳ１０２の処理において、判定部１３１は、緊急通報が終了されたことを示す緊急通報終了信号をサービングゲートウェイ２０２又は第２移動交換局３０２から受信したか否か判定する。
【０１３８】
また、図７のステップＳ３０５の処理において、決定部１３２は、測位要求信号に含まれる発信元電話番号及び発信先電話番号に関連付けて緊急通報管理テーブルに記憶された通信回線網識別情報を特定する。第２実施形態では、携帯端末６０１は、第１通信回線網２００及び第２通信回線網３００のうちの何れかの通信回線網を使用して、緊急通報を発呼する可能性がある。そのため、決定部１３２は、特定した通信回線網識別情報に基づいた通信回線網、すなわち、特定した通信回線網識別情報に示される通信回線網を測位要求信号の送信先に決定する。
【０１３９】
以上説明してきたように、緊急通報が継続中の場合、第１位置情報通知サーバ１０１は、複数の通信回線網のうち、測位要求信号の送信先を緊急通報の通話に使用されている通信回線網に決定する。これにより、携帯端末６０１は緊急通報が継続中である場合、緊急通報に使用されている通信回線網に確実に在圏しているので、決定部１３２は、測位要求信号を送信すべき通信回線網を適切に選択することができる。
【０１４０】
なお、本発明は第１実施形態及び第２実施形態に限定されるものではない。例えば、緊急機関装置５０２が送信する測位要求信号のフォーマットと、位置情報通知サーバ１０１が送信する測位要求信号のフォーマットは、異なっていてもよい。すなわち、位置情報通知サーバ１０１は、緊急機関装置５０２から受信した測位要求信号のフォーマットを変更して、携帯端末６０１又は第２位置情報通知サーバ４０１に送信してもよい。同様に、位置情報通知サーバ１０１は、携帯端末６０１，第２位置情報通知サーバ４０１から受信した測位応答信号のフォーマットを変更して、緊急機関装置５０２に送信してもよい。
【０１４１】
また、第１位置情報通知サーバ１０１及び第２位置情報通知サーバ４０１は、それぞれ測位要求信号をセル測位による測位を要求するセル測位要求信号及びＧＰＳ測位による測位を要求するＧＰＳ測位要求信号の二種類の信号に分けて携帯端末４０５，６０１に送信してもよい。その場合、携帯端末４０５，６０１は、セル測位要求信号を受信すると、三台以上の基地局からそれぞれ受信した無線信号の電波強度に基づいて自装置の位置を測定する。携帯端末４０５，６０１は、自装置の位置を示すセル測位応答信号を第１位置情報通知サーバ１０１、第２位置情報通知サーバ４０１に送信する。一方、携帯端末４０５，６０１は、ＧＰＳ測位要求信号を受信すると、ＧＰＳ等の周知の技術を利用して自装置の位置を測定する。携帯端末４０５，６０１は、自装置の位置を示すＧＰＳ測位応答信号を第１位置情報通知サーバ１０１、第２位置情報通知サーバ４０１に送信する。
【０１４２】
測位制御部１３３は、各通信回線網に配置されたＡＧＰＳ管理装置を介してＧＰＳ測位要求信号を測位対象の携帯端末に送信し、測位対象の携帯端末は、ＧＰＳ測位要求信号を受信する。ＡＧＰＳ管理装置は、第１位置情報通知サーバ１０１から受信したＧＰＳ測位要求信号を測位対象の携帯端末に送信する際に、ＧＰＳ測位を行うためのアシストデータをＧＰＳ測位要求信号に付加する。なお、測位制御部１３３は、セル測位要求信号及びＧＰＳ測位要求信号を同時に送信する。又は、測位制御部１３３は、セル測位要求信号を送信して、セル測位応答信号を受信してから、ＧＰＳ測位要求信号を送信してもよい。
【０１４３】
第１位置情報通知サーバ１０１は、セル測位により、早期に確実にセル測位応答信号を測位対象の携帯端末から受信できるものの、測位精度がＧＰＳ測位よりも低い。第１位置情報通知サーバ１０１は、ＧＰＳ測位により、測位精度がセル測位より高いＧＰＳ測位応答信号を測位対象の携帯端末から受信できる可能性がある。しかしながら、第１情報通知サーバ１０１は、測位対象の携帯端末が屋内にいる場合、測位対象の携帯端末がＧＰＳ測位に失敗し、ＧＰＳ測位要求信号の送信から所定時間が経過してもＧＰＳ測位応答信号を測位対象の携帯端末から受信できない場合もある。
【０１４４】
そこで、測位制御部１３３は、ＧＰＳ測位要求信号の送信から所定時間（例えば、４０秒）以内にＧＰＳ測位応答信号を受信した場合、受信したＧＰＳ測位応答信号を測位応答信号として緊急機関装置５０２に送信する。一方、測位制御部１３３は、ＧＰＳ測位要求信号の送信から所定時間以内にＧＰＳ測位応答信号を受信しなかった場合、セル測位応答信号を測位応答信号として緊急機関装置５０２に送信する。これにより、測位制御部１３３は、緊急機関装置５０２に確実に測位応答信号を送信しつつ、ＧＰＳ測位応答信号を受信した場合は、より精度が高い測位応答信号を送信することができる。
【０１４５】
また、サーバ制御部１３及びデータベース制御部２３が備える各機能をコンピュータに実現させるためのコンピュータプログラムは、磁気記録媒体、光記録媒体等のコンピュータにより読み取り可能な記録媒体に記憶された形で提供されてもよい。
【０１４６】
当業者は、本発明の精神及び範囲から外れることなく、様々な変更、置換及び修正をこれに加えることが可能であることを理解されたい。
【符号の説明】
【０１４７】
１    通信システム
１００    非音声ネットワーク
１０１    第１位置情報通知サーバ
１３１    判定部
１３２    決定部
１３３    測位制御部
１０２    加入者情報データベース
２００    第１通信回線網
３００    第２通信回線網
４００    第３通信回線網
４０５ａ，４０５ｂ，６０１ａ，６０１ｂ    携帯端末
【要約】
【課題】複数の通信回線網のうち、携帯端末の位置を測位するために適切な通信回線網を選択することができるサーバ等を提供する。
【解決手段】本発明に係る制御方法は、緊急通報が終了していないと判定された場合、測位要求信号の送信先を緊急通報の発信が行われた通信回線網に決定し、緊急通報が終了したと判定された場合、緊急通報の発信を行った携帯端末が第１通信回線網より優先的に使用される第２通信回線網に在圏しているか否かを問い合わせる問い合わせ信号を第２通信回線網に送信し、緊急通報の発信を行った携帯端末が第２通信回線網に在圏していることを示す応答信号を受信した場合、測位要求信号の送信先を第２通信回線網に決定し、応答信号を受信しなかった場合、測位要求信号の送信先を第１通信回線網に決定し、測位要求信号を決定した通信回線網に送信する、ことを含む。
【選択図】図１【図２】
0005993500.tif 000002
【図３】
0005993500.tif 000003
【図４】
0005993500.tif 000004
【図５】
0005993500.tif 000005
【図６】
0005993500.tif 000006
【図７】
0005993500.tif 000007
【図８】
0005993500.tif 000008
【図１０】
0005993500.tif 000009
【図１】
0005993500.tif 000010
【図９】
0005993500.tif 000011